(57)【要約】【課題】記録メディアやジャンルに依存することなく音量を一定に保つ。【解決手段】オーディオ信号の再生音量を所望のレベルに設定するための音量設定手段と、オーディオ信号の再生音量レベルが音量設定手段により設定された音量レベルを基準とした所定範囲に常に収まるよう当該オーディオ信号を制御する音量制御手段とを備えたオーディオ装置を提供する。【選択図】図４
2007220266.tif 000002
【特許請求の範囲】
【請求項１】
記録メディアに記録されたオーディオ信号を再生するオーディオ装置において、
オーディオ信号の再生音量を所望のレベルに設定するための音量設定手段と、
オーディオ信号の再生音量レベルが前記音量設定手段により設定された音量レベルを基準とした所定範囲に常に収まるよう当該オーディオ信号を制御する音量制御手段と、を備えたこと、を特徴とするオーディオ装置。
【請求項２】
前記音量制御手段により制御されたオーディオ信号の音質を、その音量レベルに応じた周波数特性に基づいて制御する音質制御手段を更に備えたこと、を特徴とする請求項１に記載のオーディオ装置。
【請求項３】
前記音質制御手段は、前記音量制御手段により制御されたオーディオ信号の音量レベルが低いときには低域及び高域を他の帯域よりも増幅させ、その音量レベルが高くなるに従って該低域及び高域の増幅度合いが低下していくような周波数特性を有したこと、を特徴とする請求項２に記載のオーディオ装置。
【請求項４】
周囲の音を収集して音声信号として取得する音声収集手段と、
該取得された音声信号の中から周囲の騒音を表すノイズ信号を抽出するノイズ信号抽出手段と、を更に備え、
前記音量制御手段は、該抽出されたノイズ信号にも基づいてオーディオ信号の音量レベルを制御すること、を特徴とする請求項１に記載のオーディオ装置。
【請求項５】
前記ノイズ信号抽出手段は、記録メディアに記録されたオーディオ信号と、前記音声収集手段で収集された音声信号とを比較してその差分をノイズ信号として抽出すること、を特徴とする請求項４に記載のオーディオ装置。
【請求項６】
前記音量制御手段により制御されたオーディオ信号の音質を、その音量レベルに応じた周波数特性、及び、該抽出されたノイズ信号に基づいて制御する音質制御手段を更に備えたこと、を特徴とする請求項４又は請求項５の何れかに記載のオーディオ装置。
【請求項７】
前記音質制御手段は、該抽出されたノイズ信号に基づいてオーディオ信号の少なくとも低域部分を他の帯域よりも増幅させること、を特徴とする請求項６に記載のオーディオ装置。
【請求項８】
前記オーディオ装置は車両に搭載され、当該車両にはその走行速度を検出する走行速度検出手段が備えられており、
前記音量制御手段は、該検出された走行速度にも基づいてオーディオ信号の音量レベルを制御すること、を特徴とする請求項１又は請求項４の何れかに記載のオーディオ装置。
【請求項９】
前記音量制御手段により制御されたオーディオ信号の音質を、その音量レベルに応じた周波数特性、及び、該検出された走行速度に基づいて制御する音質制御手段を更に備えたこと、を特徴とする請求項７に記載のオーディオ装置。
【請求項１０】
前記音量設定手段はユーザに操作され得るボリュームであること、を特徴とする請求項１から請求項９の何れかに記載のオーディオ装置。
【請求項１１】
記録メディアに記録されたオーディオ信号を再生するオーディオ装置において、
周囲の音を収集して音声信号として取得する音声収集手段と、
該取得された音声信号の中から周囲の騒音を表すノイズ信号を抽出するノイズ信号抽出手段と、
該抽出されたノイズ信号にも基づいてオーディオ信号の音質を制御する音量制御手段と、を備えたこと、を特徴とするオーディオ装置。
【発明の詳細な説明】
【技術分野】
【０００１】
この発明は、種々の記録メディアに記録されたオーディオ信号を再生するオーディオ装置に関する。
【背景技術】
【０００２】
オーディオ装置では、一般に、様々なジャンル（クラッシック、ロック、ジャズ等）の音場を設定することができる。ユーザは、このような音場を設定して音楽を聴くことにより、例えばコンサートホールやライブハウスで音楽を聴くような臨場感を味わうことができる。すなわちオーディオ装置は、ＣＤ（Compact Disc）やＤＶＤ（Digital Versatile Disk）等の記録メディアから読み取られたオーディオ信号に対して所定の周波数補正（設定中の音場に対応した周波数補正）を掛けることにより、それに応じた音場の音楽をユーザに提供することを可能としている。
【０００３】
例えば下記特許文献１に、様々なジャンルの音場を設定することができるオーディオ装置が記載されている。下記特許文献１によれば、設定される音場毎にエネルギースペクトルが異なり、再生される音楽の音圧変化が一定の特性とならない。このため、ユーザが感じる音の大きさは音場毎に異なる。従ってユーザは、一定の音量で音楽を聴く場合、音場設定を変更する毎に音量を調整する必要があった。
【０００４】
下記特許文献１に記載のオーディオ装置は、各音場とそれに対応する音量特性とを関連付けて記憶している。このオーディオ装置では、所定の音場が設定された音楽を、それに関連付けられた音量特性に基づいて再生することにより、上記音量調整等の煩わしい操作をなくすことを可能としている。
【特許文献１】特開平７−２８４１８５号公報
【発明の開示】
【発明が解決しようとする課題】
【０００５】
記録メディアが異なる場合、そのオーディオ符号化形式もそれぞれ異なる。例えばＣＤの場合、オーディオ符号化形式としてリニアＰＣＭ（Pulse Code Modulation）が採用されている。ＤＶＤの場合にはＡＣ−３（Audio Code number 3）やＤＴＳ（Digital Theater System）が採用されている。一般に、リニアＰＣＭは比較的大きな音量で収録され、ＡＣ−３やＤＴＳは広いダイナミックレンジを確保するために全体的に小さな音量で収録されている。
【０００６】
従って、例えばロックミュージックが記録されたＣＤとＤＶＤを上記特許文献１に記載のオーディオ装置で再生させるときに音場を「ロック」に設定した場合、オーディオ符号化形式の相違に起因して、その音量が互いに異なったものとなってしまう。このためユーザは、一定の音量で各記録メディアの音楽を聴く場合、記録メディアを交換する毎に結局は音量を調整しなければならなかった。
【０００７】
またジャンル毎でもエネルギースペクトルが異なり、再生される音楽の音圧変化が一定の特性とならない。従って音場を設定しない場合であっても、ジャンルの相違に起因して音量変化は起こり得る。
【０００８】
ここで、上記特許文献１に記載のオーディオ装置は、音場設定操作を行うことを前提に音量を一定に保つよう作動する。このため、このようなオーディオ装置において音場が設定されていない場合には、ジャンル毎で音量変化が起こり得る。すなわち上記特許文献１に記載のオーディオ装置であっても、ジャンルを変更する毎に音量調整操作が必要とされ得る。
【０００９】
そこで、本発明は上記の事情に鑑みて、記録メディアやジャンルに依存することなく音量を一定に保つことができるオーディオ装置を提供することを課題としている。
【課題を解決するための手段】
【００１０】
上記の課題を解決する本発明の一態様に係る、記録メディアに記録されたオーディオ信号を再生するオーディオ装置は、オーディオ信号の再生音量を所望のレベルに設定するための音量設定手段と、オーディオ信号の再生音量レベルが音量設定手段により設定された音量レベルを基準とした所定範囲に常に収まるよう当該オーディオ信号を制御する音量制御手段とを備えたことを特徴としたものである。
【００１１】
このように構成されたオーディオ装置によれば、ユーザは、記録メディアやジャンルに依存することなく、音量設定手段の設定に準じた一定の音量で音楽を訊くことができる。従って記録メディアを交換した際もジャンルが変更した際も、音量調整等の繁雑な作業をする必要がない。
【００１２】
なお上記オーディオ装置は、音量制御手段により制御されたオーディオ信号の音質を、その音量レベルに応じた周波数特性に基づいて制御する音質制御手段を更に備えたものであっても良い。
【００１３】
ここで上記音質制御手段は、音量制御手段により制御されたオーディオ信号の音量レベルが低いときには低域及び高域を他の帯域よりも増幅させ、その音量レベルが高くなるに従って該低域及び高域の増幅度合いが低下していくような周波数特性を有したものであっても良い。
【００１４】
また上記オーディオ装置は、例えば周囲の音を収集して音声信号として取得する音声収集手段と、該取得された音声信号の中から周囲の騒音を表すノイズ信号を抽出するノイズ信号抽出手段とを更に備えたものであっても良い。この音量制御手段は、該抽出されたノイズ信号にも基づいてオーディオ信号の音量レベルを制御することができる。
【００１５】
上記ノイズ信号抽出手段は、例えば記録メディアに記録されたオーディオ信号と、音声収集手段で収集された音声信号とを比較してその差分をノイズ信号として抽出するよう動作する。
【００１６】
また上記オーディオ装置は、例えば音量制御手段により制御されたオーディオ信号の音質を、その音量レベルに応じた周波数特性、及び、該抽出されたノイズ信号に基づいて制御する音質制御手段を更に備えたものであっても良い。
【００１７】
また上記オーディオ装置は例えば車両に搭載されたものであっても良い。このような車両にはその走行速度を検出する走行速度検出手段が備えられており、音量制御手段は、該検出された走行速度にも基づいてオーディオ信号の音量レベルを制御することができる。
【００１８】
また上記オーディオ装置は、例えば音量制御手段により制御されたオーディオ信号の音質を、その音量レベルに応じた周波数特性、及び、該検出された走行速度に基づいて制御する音質制御手段を更に備えたものであっても良い。この音質制御手段は、例えば抽出されたノイズ信号に基づいてオーディオ信号の少なくとも低域部分を他の帯域よりも増幅させるよう動作する。
【００１９】
また上記オーディオ装置において音量設定手段はユーザに操作され得るボリュームであっても良い。
【００２０】
上記の課題を解決する本発明の別の態様に係る、記録メディアに記録されたオーディオ信号を再生するオーディオ装置は、周囲の音を収集して音声信号として取得する音声収集手段と、該取得された音声信号の中から周囲の騒音を表すノイズ信号を抽出するノイズ信号抽出手段と、該抽出されたノイズ信号にも基づいてオーディオ信号の音質を制御する音量制御手段とを備えたことを特徴としたものである。
【発明の効果】
【００２１】
本発明に係るオーディオ装置によれば、記録メディアやジャンルに依存することなく一定の音量で音楽を再生させることが可能となる。
【発明を実施するための最良の形態】
【００２２】
以下、図面を参照して、本発明の実施例１のオーディオ装置１の構成及び動作について説明する。
【００２３】
図１は、本実施例１のオーディオ装置１の構成を示したブロック図である。オーディオ装置１は例えば車載オーディオ機器であり、音量制御部１０、音量設定部２０、音質制御部３０、及び、オーディオ部４０を備えている。
【００２４】
オーディオ部４０は、周知のオーディオ装置と同様の構成を有している。オーディオ部４０には、例えばＣＤやＤＶＤ等の記録メディアから情報を読み取る情報読取部、読み取られた情報を再生するための再生部、再生される音声や映像が出力されるスピーカ及びモニタ、ユーザ・オペレーションが成される操作部等が備えられている。オーディオ部４０は周知の構成であるため、ここでの詳細な説明は省略する。
【００２５】
なお音量設定部２０は、ユーザ・オペレーションにより、オーディオ部４０で再生される音楽の音量を所望の値に設定するための周知のボリュームである。音量設定部２０はオーディオ部４０の操作部の一部を成す構成であるが、本実施例１では説明の便宜上、音量設定部２０をオーディオ部４０から抽出して記載及び図示している。
【００２６】
音量制御部１０は、音量設定部２０で設定された音量を基準として所定の信号処理を行う。オーディオ装置１は音量制御部１０で実行される信号処理により、例えばオーディオ符号化形式や音楽ジャンル等に起因して音量の入力レベルに相違がある場合であっても、それに依存することなく一定の音量で音楽を再生することを可能としている。なお、ここでいう一定の音量とは所定範囲のレベルに収まる音量を示す。以下、この信号処理について説明する。
【００２７】
図２に、本実施例１の音量制御部１０のブロック図を示す。音量制御部１０は、聴感補正部１１、実効値算出部１２、アタックリリースフィルタ部１３、ルックアップテーブル部１４、スムージングフィルタ部１５、及び、乗算器１６を有している。
【００２８】
聴感補正部１１には、オーディオ部４０で読み取られてデコードされた、ＣＤやＤＶＤ等の記録メディアのオーディオ信号が入力される。聴感補正部１１は、ユーザの聴感の周波数による依存性を低減して信号の平滑化を図るため、周波数特性の重み付けを実行する。これにより、再生音に対する人間の聴感との一致性を高めている。ここでの重み付け処理は、図３に示された周波数特性に基づいて実行される。図３において縦軸がゲイン［ｄＢ］を示し、横軸が周波数［Ｈｚ］を示す。
【００２９】
図３の曲線で示される周波数特性は周知のＡ特性である。Ａ特性は、人間の聴感との一致性が極めて高い特性である。なお音楽ジャンルによっては、聴感補正部１１によりオーディオ信号を十分に平滑化できないものもある。従って、例えばオーディオ部４０を用いたユーザ・オペレーションにより、聴感補正部１１によるオーディオ信号に対する重み付け処理の機能をオン／オフできるようにしても良い。
【００３０】
聴感補正部１１により重み付けされたオーディオ信号は実効値算出部１２に出力される。実効値算出部１２は、入力されたオーディオ信号の所定区間毎の実効値を算出する。例えばオーディオ信号のサンプリング速度が４８［ｋＨｚ］であり、上記所定区間が１［ｍｓ］に設定されている場合、実効値算出部１２は４８サンプルの区間の実効値（以下、「実効オーディオ信号」と記す）を算出して、１［ｍｓ］毎にアタックリリースフィルタ部１３に出力する。ここで、図４に音量制御部１０の各構成要素における出力を示す。図４の出力ａは実効値算出部１２の出力、すなわち実効オーディオ信号を示す。図４において縦軸がゲイン［ｄＢ］を示し、横軸が時間［ｓ］を示す。
【００３１】
アタックリリースフィルタ部１３は、アタック時間とリリース時間を設定することにより応答速度制御を行うための回路である。ここでいう応答速度制御とは、実効オーディオ信号を検知してからデータ圧縮伸張動作に移行するまでに掛かる時間の制御を意味する。なおアタック時間とは、入力信号の振幅が急激に高くなったときにゲインを押さえ込むまでに掛かる時間である。またリリース時間とは、入力信号の振幅が急激に小さくなったときにゲインを上昇させるまでに掛かる時間を示す。ここではアタック時間は例えば１０［ｍｓ］に設定される。またリリース時間は例えば１［ｓ］に設定される。アタックリリースフィルタ部１３の出力は、図４において出力ｂとして示されている。
【００３２】
ルックアップテーブル部１４は、入力ゲインと出力ゲインとを関連付けた（すなわち入出力特性の）テーブルを保有している。図５に、この入出力特性のテーブルをグラフ化して示す。図５において縦軸が出力ゲイン［ｄＢ］を示し、横軸が入力ゲイン［ｄＢ］を示す。
【００３３】
図５に示されるように、ルックアップテーブル部１４は、アタックリリースフィルタ部１３からの入力信号を、実線で示された特性に基づいてレベル変換してスムージングフィルタ部１５に出力する。説明を加えると、ルックアップテーブル部１４は、図５に示されるように、実効オーディオ信号のレベルが−８０〜−６０［ｄＢ］のときには、それを−８０〜−３５［ｄＢ］のレベルに変換する。すなわち実効オーディオ信号の伸張動作を実行する。また、実効オーディオ信号のレベルが−６０〜０［ｄＢ］のときには、それを−３５〜−２５［ｄＢ］のレベルに変換する。すなわち実効オーディオ信号の圧縮又は伸張動作を実行する。なお、ルックアップテーブル部１４においてレベル変換の動作点を任意に設定するために、オフセットゲインが設定可能となっている。本実施例１ではオフセットゲインは例えば２５［ｄＢ］に設定され、これにより、実効オーディオ信号の出力レベルが増大される。
【００３４】
ルックアップテーブル部１４は、アタック時間、リリース時間、及び、上記入出力特性に基づいて実効オーディオ信号を変換して、スムージングフィルタ部１５に出力する。ルックアップテーブル部１４において実効オーディオ信号がレベル変換されることにより、オーディオ信号のレベルの急激な変化が抑えられ、聴き易い音楽をユーザに提供することが可能となる。
【００３５】
スムージングフィルタ部１５は、ルックアップテーブル部１４からの入力信号を平滑化するためにフィルタリング処理を実行する。フィルタリング処理された信号は、オーディオ信号の音量を制御するための制御信号として乗算器１６に出力される。この制御信号は図４において出力ｃとして示されている。
【００３６】
乗算器１６にはスムージングフィルタ部１５からの制御信号以外に、オーディオ部４０で読み取られてデコードされた、ＣＤやＤＶＤ等の記録メディアのオーディオ信号が入力される。乗算器１６はこのオーディオ信号と制御信号の乗算処理を実行して、この乗算処理されたオーディオ信号（以下、「乗算オーディオ信号」と略記）を音量設定部２０に出力する。
【００３７】
乗算オーディオ信号は、音量設定部２０を介して音質制御部３０に入力する。次いで、音質制御部３０において所定の信号処理が施されてオーディオ部４０に入力し、オーディオ部４０において、音量設定部２０での設定値を基準とした音量で再生される。
【００３８】
乗算器１６における乗算処理により、所定範囲において、レベルの小さなオーディオ信号は増幅されて、レベルの大きなオーディオ信号は減衰される。すなわち大きな音量の音楽も小さな音量の音楽も全て、所定範囲に収まった音量に制御される。このためオーディオ部４０は、上述した一連の処理により、記録メディアやジャンルに依存することなく一定の音量で音楽を再生させることができるようになる。なお、上記所定範囲は音量設定部２０での設定値を基準に決まる。すなわち上記所定範囲は音量設定部２０での設定値に応じて変動する。
【００３９】
ここで、例えば図４において時間が３［ｓ］のときのルックアップテーブル部１４、スムージングフィルタ部１５、及び、乗算器１６の具体的な動作を説明する。
【００４０】
ルックアップテーブル部１４は、出力ａ及びｂにおいて例えば−１８［ｄＢ］の信号を図５に示された特性に基づいてレベル変換する。ここでは上記信号は、図５に示されるように、−１０［ｄＢ］にレベル変換される。次いで、レベル変換された信号はスムージングフィルタ部１５により平滑化処理された後、−１０［ｄＢ］の制御信号として乗算器１６によりオーディオ信号と乗算される。これにより、上記オーディオ信号が１０［ｄＢ］減衰されて当該オーディオ信号の圧縮が実現される。
【００４１】
次に、音質制御部３０で実行される信号処理について説明する。
【００４２】
図６に、本実施例１の音質制御部３０のブロック図を示す。音質制御部３０は、最大値算出部３１、アタックリリースフィルタ部３２ａ、３２ｂ、ルックアップテーブル部３３ａ、３３ｂ、スムージングフィルタ部３４ａ、３４ｂ、乗算器３５ａ、３５ｂ、バスフィルタ部３６、トレブルフィルタ部３７、及び、加算器３８を有している。
【００４３】
最大値算出部３１には、音量制御部１０及び音量設定部２０により音量制御されたオーディオ信号が入力される。最大値算出部３１は、入力されたオーディオ信号の絶対値を算出して、更に、所定区間毎の最大値を算出する。例えばオーディオ信号のサンプリング速度が４８［ｋＨｚ］であり、上記所定区間が１［ｍｓ］に設定されている場合、最大値算出部３１は４８サンプルの区間の最大値（以下、「最大オーディオ信号」と記す）を算出して、１［ｍｓ］毎にアタックリリースフィルタ部３２ａ及び３２ｂに出力する。
【００４４】
最大値算出部３１から出力された最大オーディオ信号は、アタックリリースフィルタ部３２ａにおいてアタック時間及びリリース時間が設定されて、ルックアップテーブル部３３ａに出力される。またアタックリリースフィルタ部３２ｂにおいてもアタック時間及びリリース時間が設定されて、ルックアップテーブル部３３ｂに出力される。すなわち最大オーディオ信号は、二系統のアタックリリースフィルタ部３２ａ及び３２ｂの各々において、アタック時間及びリリース時間がそれぞれ独立して設定される。
【００４５】
ルックアップテーブル部３３ａ及び３３ｂは、入力ゲインと出力ゲインとを関連付けた入出力特性のテーブルを保有している。図７に、この入出力特性のテーブルをグラフ化して示す。図７において縦軸が出力ゲインを示し、横軸が入力ゲインを示す。なお縦軸の出力ゲインがリニア、横軸の入力ゲインがデシベルで示されている。
【００４６】
図７の入出力特性Ｂ１がルックアップテーブル部３３ａの持つ入出力特性を示し、入出力特性Ｔ１がルックアップテーブル部３３ｂの持つ入出力特性を示す。ルックアップテーブル部３３ａは、図７の入出力特性Ｂ１に示されるように、最大オーディオ信号のレベルが−３０［ｄＢ］以下のときには、それを一定のレベル（＝１６）に変換する。また最大オーディオ信号のレベルが−３０〜０［ｄＢ］のときには、それを１６〜０のレベルに変換する。一方、ルックアップテーブル部３３ｂは、図７の入出力特性Ｔ１に示されるように、最大オーディオ信号のレベルが−３０［ｄＢ］以下のときには、それを一定のレベル（＝８）に変換する。また最大オーディオ信号のレベルが−３０〜−６［ｄＢ］のときには、それを８〜０のレベルに変換する。なお、ルックアップテーブル部３３ａ及び３３ｂにおいてもルックアップテーブル部１４と同様に、オフセットゲインが設定され、これにより、最大オーディオ信号の出力レベルが増大される。
【００４７】
スムージングフィルタ部３４ａは、ルックアップテーブル部３３ａからの入力信号を平滑化するためのフィルタリング処理を実行して制御信号を生成し、乗算器３５ａに出力する。またスムージングフィルタ部３４ｂも、ルックアップテーブル部３３ｂからの入力信号を平滑化するためのフィルタリング処理を実行して制御信号を生成し、乗算器３５ｂに出力する。
【００４８】
乗算器３５ａにはスムージングフィルタ部３４ａからの制御信号以外に、音量設定部２０からのオーディオ信号が入力される。乗算器３５ａはこのオーディオ信号と制御信号とを乗算処理して、この乗算後のオーディオ信号をバスフィルタ部３６に出力する。
【００４９】
また乗算器３５ｂにもスムージングフィルタ部３４ｂからの制御信号以外に、音量設定部２０からのオーディオ信号が入力される。乗算器３５ｂはこのオーディオ信号と制御信号とを乗算処理して、この乗算後のオーディオ信号をトレブルフィルタ部３７に出力する。
【００５０】
バスフィルタ部３６は低域の周波数補正用フィルタであり、トレブルフィルタ部３７は高域の周波数補正用フィルタである。図８に、バスフィルタ部３６及びトレブルフィルタ部３７のフィルタ特性を示す。図８において縦軸が出力ゲイン［ｄＢ］を示し、横軸が周波数［Ｈｚ］を示す。図８のフィルタ特性Ｂ２がバスフィルタ部３６の持つフィルタ特性を示し、フィルタ特性Ｔ２がトレブルフィルタ部３７の持つフィルタ特性を示す。
【００５１】
バスフィルタ部３６は、乗算器３５ａからの乗算オーディオ信号に対して、フィルタ特性Ｂ２のフィルタリング処理を施して加算器３８に出力する。またトレブルフィルタ部３７は、乗算器３５ｂからの乗算オーディオ信号に対して、フィルタ特性Ｔ２のフィルタリング処理を施して加算器３８に出力する。
【００５２】
加算器３８は、音量設定部２０により音量制御されたオーディオ信号に、バスフィルタ部３６とトレブルフィルタ部３７の出力を加算処理することにより音質を制御して、オーディオ部４０に出力する。オーディオ部４０に出力されたオーディオ信号は、音質が制御された状態で再生される。
【００５３】
図９に、音量設定部２０での設定を基準として音量制御部１０で制御された各音量レベルに対する周波数特性であって、音質制御部３０の処理によりオーディオ信号に掛けられる周波数特性を示す。図９において縦軸が出力ゲイン［ｄＢ］を示し、横軸が周波数［Ｈｚ］を示す。
【００５４】
図９に示される周波数特性によると、音量レベルの低いオーディオ信号は、低域及び高域に関して大きく増幅される。オーディオ信号の音量レベルが高くなるに従って、その増幅度合いが低下する。オーディオ信号の音量レベルが０［ｄＢ］のときには増幅処理が行われず、周波数特性はフラットとなる。なお、低域及び高域の増幅は音量設定部２０で設定される音量レベルだけでなく、記録メディアそのものからのオーディオ信号のレベルによっても実施される。すなわち元々のオーディオ信号のレベルが低い場合にも、音質制御部３０の処理により低域及び高域が増幅される。また、その信号レベルが高くなるに従ってその増幅度合いが低下する。
【００５５】
例えば音質制御部３０がない場合、音量制御部１０により音量が一定に保持される一方、そのトレードオフとして音のめりはりが若干低下し得る。本実施例１では音質制御部３０の作用によって特定の周波数帯域（低域及び高域）を増幅させることにより、音のめりはりを大幅に改善している。例えば本実施例１のように、低域及び高域を増幅させることにより、音声（例えばボーカリストの声）のレベルが保持されたまま演奏音が強調されて、音楽にめりはりがつく。
【００５６】
次に、本発明の実施例２のオーディオ装置について説明する。図１０に、本実施例２のオーディオ装置１０１の構成をブロックで示す。なお、本実施例２のオーディオ装置１０１において本実施例１のオーディオ装置１と実質的に同一とされる構成については、同一の符号を付して詳細な説明を省略する。
【００５７】
本実施例２のオーディオ装置１０１では、特に車内騒音環境を考慮した周波数補正により音質制御が成されている。車内騒音には例えばロードノイズが挙げられる。ロードノイズとは、路面の振動が車室に伝わることで発生するものであり、例えば３０〜１２０［Ｈｚ］程度の低域の騒音である。本実施例２では再生音楽の音量レベルが低いとき、低域に加えて高域も増幅させることにより、ロードノイズ等の騒音をユーザに感じ難くさせて、良好な音量・音質でユーザが音楽を聴けるようにしている。附言するに、再生音楽の低域を増幅させた場合、ユーザが聴感し得るロードノイズが、当該音楽の低域部分により好適に打ち消される。
【００５８】
本実施例２のオーディオ装置１０１は例えば車載オーディオ機器であり、音量制御部１０、音量設定部２０、音量・音質制御部１３０、オーディオ部４０、スピードパルス検出部１５０、マイクロフォン１６０、ノイズ検出部１７０、及び、レベル変換部１８０を備えている。
【００５９】
図１１に、音量・音質制御部１３０の構成をブロックで示す。音量・音質制御部１３０は、最大値算出部３１、アタックリリースフィルタ部３２ａ、３２ｂ、ルックアップテーブル部３３ａ、３３ｂ、スムージングフィルタ部３４ａ、３４ｂ、乗算器１３５ａ、１３５ｂ、１３５ｃ、バスフィルタ部３６、トレブルフィルタ部３７、及び、加算器１３８を有している。
【００６０】
本実施例２の音量・音質制御部１３０において、乗算器１３５ａにはスムージングフィルタ部３４ａからの制御信号以外に、音量設定部２０からのオーディオ信号及び後述のバスゲイン信号が入力される。乗算器１３５ａはこのオーディオ信号とバスゲイン信号と制御信号とを乗算処理して、この乗算後のオーディオ信号をバスフィルタ部３６に出力する。
【００６１】
また乗算器１３５ｂにもスムージングフィルタ部３４ｂからの制御信号以外に、音量設定部２０からのオーディオ信号及び後述のトレブルゲイン信号が入力される。乗算器１３５ｂはこのオーディオ信号とトレブルゲイン信号と制御信号とを乗算処理して、この乗算後のオーディオ信号をトレブルフィルタ部３７に出力する。
【００６２】
乗算器１３５ｃには音量設定部２０からのオーディオ信号及び後述のサブボリューム信号が入力される。乗算器１３５ｃはこのオーディオ信号とサブボリューム信号とを乗算処理して、この乗算後のオーディオ信号を加算器１３８に出力する。
【００６３】
加算器１３８は、音量設定部２０により音量制御されたオーディオ信号に、バスフィルタ部３６とトレブルフィルタ部３７の出力、及び、乗算器１３５ｃを加算処理することにより音質を制御して、オーディオ部４０に出力する。これにより、オーディオ部４０に出力されたオーディオ信号は音質が制御された状態で再生される。
【００６４】
本実施例２の音量・音質制御部１３０の処理においてもオーディオ信号に対して図９に示される周波数特性（少なくとも低域部分が増幅される特性）が掛けられ、例えばロードノイズ等のレベルに応じた音量及び周波数補正が成される。その結果ロードノイズ等の影響が好適に軽減され、ユーザは適切な音量・音質で音楽を快適に聴取することができるようになる。
【００６５】
すなわち図９に示される周波数特性によれば、再生音楽の音量が小さく当該音楽がロードノイズ等で掻き消され得るような場合に、低域（及び高域）がより増幅される傾向にある。つまり、音量が小さい場合であっても再生音楽の低域部分がロードノイズ等を打ち消すように増幅される。この結果、ユーザは、ロードノイズ等を感じ難くなり当該音楽を快適に聴取できるようになる。
【００６６】
図１２に、スピードパルス検出部１５０の構成をブロックで示す。また図１３（ａ）に、スピードパルス検出部１５０の動作を説明するための図を示す。また図１３（ｂ）、（ｃ）のそれぞれに、走行速度とスピードパルス、走行速度とパルスレベルとのグラフを示す。
【００６７】
図１２に示されるようにスピードパルス検出部１５０は、スレッショルド部１５１、エッジ検出部１５２、及び、エッジカウント部１５３を有している。スレッショルド部１５１は、車両の車軸に設置されたスピードパルスセンサＳＰＳと接続されている。このスレッショルド部１５１は、スピードパルスセンサＳＰＳから出力される車両の走行速度に応じたスピードパルスを取得する。スレッショルド部１５１では、イグニッションノイズ等の電気的なノイズの影響を軽減するために、所定のスレッショルドに基づいてスピードパルスの波形整形を実行する。例えば図１３（ａ）の「（Ａ）スレッショルド」に示されるように、スピードパルス（実線）に対してスレッショルド（点線）を用い、スピードパルスを整形する（例えば図１３（ａ）の「（Ｂ）スピードパルスの波形整形」参照）。波形整形されたスピードパルスはエッジ検出部１５２に出力される。
【００６８】
エッジ検出部１５２は、波形整形されたスピードパルスの立ち上がりのエッジを検出し（例えば図１３（ａ）の「（Ｃ）エッジ検出」参照）、その検出結果をエッジカウント部１５３に出力する。
【００６９】
エッジカウント部１５３は、エッジ検出部１５２からの検出結果を参照して、所定区間（換言すると所定時間）内におけるエッジ数のカウントを行う（例えば図１３（ａ）の「（Ｄ）エッジカウンタ」参照）。そして得られたカウント値をパルスレベル信号としてレベル変換部１８０に出力する。本実施例２において走行速度、スピードパルス、及び、パルスレベルは例えば図１３（ｂ）、（ｃ）に示される関係にある。なお図１３（ｂ）において縦軸がスピードパルスを示し、横軸が走行速度を示す。また図１３（ｃ）において縦軸がパルスレベルを示し、横軸が走行速度を示す。
【００７０】
図１４に、ノイズ検出部１７０の構成をブロックで示す。ノイズ検出部１７０は、聴感補正部１７１、遅延補正部１７２、適応フィルタ部１７３、及び、実効値検出部１７４を有している。
【００７１】
聴感補正部１７１にはマイクロフォン１６０からの音声信号が入力する。このマイクロフォン１６０は周知の構成を有したものである。マイクロフォン１６０を介して聴感補正部１７１に入力される音声は、オーディオ部４０で再生される音楽とロードノイズ等の騒音とが混ざり合ったものである。聴感補正部１７１は、上記音楽及び騒音が人間の聴感と一致するよう周波数特性の重み付けを行い、適応フィルタ部１７３に出力する。なおこのとき採用される周波数特性は、例えば図３に示されたものと同一である。
【００７２】
遅延補正部１７２にはオーディオ部４０からのオーディオ信号が入力される。そして遅延処理を行った後、当該オーディオ信号を適応フィルタ部１７３に出力する。ここでの遅延処理により、オーディオ部４０からのオーディオ信号と、マイクロフォン１６０及び聴感補正部１７１を介したオーディオ信号（音楽）とが、同期したタイミングで適応フィルタ部１７３に入力することになる。
【００７３】
図１５（ａ）に、適応フィルタ部１７３での入出力信号をグラフで示す。また図１５（ｂ）に、適応フィルタ部１７３のタップ数が「６４」のときのフィルタ係数を示す。なお図１５（ａ）において縦軸が信号レベルを示し、横軸が周波数を示す。また図１５（ｂ）において縦軸が振幅を示し、横軸がタップ数を示す。
【００７４】
適応フィルタ部１７３は、遅延補正部１７２からのオーディオ信号を参照信号（図１５（ａ）における「ｄ」）として、聴感補正部１７１からのオーディオ信号（図１５（ａ）における「ｅ」）の中からノイズを抽出する（図１５（ａ）における「ｆ」）。次いで、抽出されたノイズを実効値検出部１７４に出力する。
【００７５】
実効値検出部１７４は、適応フィルタ部１７３からのノイズに基づいて所定時間内のノイズの実効値を検出し、その検出値をノイズレベル信号としてレベル変換部１８０に出力する。
【００７６】
図１６に、レベル変換部１８０の構成をブロックで示す。レベル変換部１８０は、パルス・ノイズ変換部１８１、モード選択部１８２、ゲイン制限部１８３、アタックリリースフィルタ部１８４、スムージングフィルタ部１８５、及び、ゲイン設定部１８６を有している。
【００７７】
パルス・ノイズ変換部１８１には、スピードパルス検出部１５０からのパルスレベル信号、及び、ノイズ検出部１７０からのノイズレベル信号が入力する。ここで、図１７に、パルス・ノイズ変換部１８１の構成をブロックで示す。図１７に示されるようにパルス・ノイズ変換部１８１は、ルックアップテーブル部１８１１、ノイズ増幅部１８１２、ルックアップテーブル部１８１３、レベル制限部１８１４、及び、重み付け合成部１８１５を有している。
【００７８】
スピードパルス検出部１５０からのパルスレベル信号は、ルックアップテーブル部１８１１に入力する。このルックアップテーブル部１８１１は所定の入出力特性のテーブルを保有している。ルックアップテーブル部１８１１は、そのテーブルに基づいてパルスレベル信号をレベル変換し、パルス制御信号としてモード選択部１８２に出力する。
【００７９】
ノイズ検出部１７０からのノイズレベル信号は、ノイズ増幅部１８１２に入力する。ノイズ増幅部１８１２は、ノイズレベル信号を増幅して、ルックアップテーブル部１８１３に出力する。
【００８０】
ルックアップテーブル部１８１３は、ルックアップテーブル部１８１１と異なる入出力特性のテーブルを保有している。ルックアップテーブル部１８１３は、そのテーブルに基づいて増幅後のノイズレベル信号をレベル変換してレベル制限部１８１４に出力する。
【００８１】
レベル制限部１８１４は、レベル変換されたノイズレベル信号に対するレベルの制限を行い、ノイズ制御信号としてモード選択部１８２に出力する。このレベル制限部１８１４は、例えば著しく大きなノイズがマイクロフォン１６０に入力した場合や、適応フィルタ部１７３が何らかの理由で発散した場合に音量の制御量を制限する機能を果たす。
【００８２】
また、ルックアップテーブル部１８１１が出力したパルス制御信号、及び、レベル制限部１８１４が出力したノイズ制御信号は、重み付け合成部１８１５にも入力する。重み付け合成部１８１５は、パルス制御信号とノイズ制御信号に対してそれぞれ重み付けを行って合成し、併用制御信号としてモード選択部１８２に出力する。
【００８３】
モード選択部１８２にはパルス制御信号、ノイズ制御信号、及び、併用制御信号が入力する。このモード選択部１８２は例えばオーディオ部４０の操作部と連携して動作する。例えば「スピードパルスモード」に設定されるようユーザ・オペレーションが成されたとき、モード選択部１８２はパルス制御信号をゲイン制限部１８３に出力する。また例えば「マイクモード」に設定されるようユーザ・オペレーションが成されたとき、モード選択部１８２はノイズ制御信号をゲイン制限部１８３に出力する。また例えば「併用モード」に設定されるようユーザ・オペレーションが成されたとき、モード選択部１８２は併用制御信号をゲイン制限部１８３に出力する。
【００８４】
ゲイン制限部１８３は、音量設定部２０で設定されるボリューム値に応じて、入力された制御信号の最大レベルを制限する。例えば音量設定部２０で設定可能な最大のボリューム値が０ｄＢであり、現在のボリューム値が−２０ｄＢに設定されている場合、ゲイン制限部１８３には、当該音量設定部２０から、その差分（すなわち２０ｄＢ）がボリュームレベル信号として入力する。この場合、ゲイン制限部１８３は制御信号の最大レベルを２０ｄＢに制限し、その制限後の制御信号をアタックリリースフィルタ部１８４に出力する。
【００８５】
制限後の制御信号は、アタックリリースフィルタ部１８４においてアタック時間及びリリース時間が設定されて、スムージングフィルタ部１８５に出力される。スムージングフィルタ部１８５は、アタックリリースフィルタ部１８４からの入力信号を平滑化するためのフィルタリング処理を実行し、フィルタリング処理後の信号をゲイン設定部１８６に出力する。
【００８６】
ゲイン設定部１８６は、スムージングフィルタ部１８５からの入力信号をサブボリューム信号として乗算器１３５ｃに出力する。また当該入力信号に対してゲインをオフセットしてバスゲイン信号を生成し、乗算器１３５ａに出力する。また当該入力信号に対して上記と異なるオフセット値をゲインにかけてトレブルゲイン信号を生成し、乗算器１３５ｂに出力する。
【００８７】
サブボリューム信号、バスゲイン信号、及び、トレブルゲイン信号は、上述したように音量・音質制御部１３０において音量又は低域及び高域の増強に用いられ、走行速度やロードノイズのレベル（スピードパルス検出部１５０やノイズ検出部１７０の出力結果）に応じてその値が可変する。
【００８８】
ここで、図１８に、サブボリューム信号、バスゲイン信号、及び、トレブルゲイン信号の特性を複数パターン示す。図１８（ａ）には、「スピードパルスモード」が選択されたときの各信号の特性が示されている。図１８（ａ）によれば、走行速度によって音量が増大し、更に低域と高域のレベルが増大する。また図１８（ｂ）には、「マイクモード」が選択されたときの各信号の特性が示されている。図１８（ｂ）によれば、騒音のレベルによって音量が増大し、更に低域と高域のレベルが増大する。また図１８（ｃ）、（ｄ）には、「併用モード」が選択されたときの各信号の特性が示されている。なお図１８（ａ）、（ｃ）、（ｄ）において縦軸がゲインを示し、横軸が走行速度を示す。また図１８（ｂ）において縦軸がゲインを示し、横軸がノイズレベルを示す。
【００８９】
「スピードパルスモード」が選択されたとき、車両の走行速度に連動した音量及び周波数補正が行われる。「スピードパルスモード」では適応フィルタ等を使用したフィードバック制御が行われず極めて安定した動作が確保され、音量及び周波数補正によりロードノイズ等をある程度軽減することができる。このためユーザは良好な音量・音質で音楽を聴くことができるようになる。
【００９０】
「マイクモード」が選択されたとき、ロードノイズ等に連動した音量及び周波数補正が行われる。「マイクモード」ではロードノイズ等に対する追従性が良く、当該ノイズを良好に軽減することができる。「マイクモード」の場合、ユーザは、「スピードパルスモード」の場合よりも更に良好な音量・音質で音楽を聴くことができるようになる。なお車両の構造上、騒音検出に効果的な位置にマイクロフォン１６０を設置できないこともあり得る。このような場合、「マイクモード」よりも「スピードパルスモード」が好適に作用し得る。
【００９１】
「併用モード」では、その設定に応じて音量及び周波数補正に対する特性を変えることが可能である。具体的には、重み付け合成部１８１５におけるパルス制御信号とノイズ制御信号（換言すると、走行速度とノイズ）に対する重み付けの値や、レベル制限部１８１４での制限値を適宜設定することで、上記特性を変えることが可能である。例えば図１８（ｃ）には、パルス制御信号に対する重み付けを「０．５」、ノイズ制御信号に対する重み付けを「０」としたときの各信号の特性が示されている。また図１８（ｄ）には、パルス制御信号に対する重み付けを「０．５」、ノイズ制御信号に対する重み付けを「１」、レベル制限部１８１４での制限値を７ｄＢとしたときの各信号の特性が示されている。重み付け合成部１８１５を変更することで、車両の走行速度、又は、ノイズ（例えばロードノイズ等）の何れを主体として音量及び周波数を制御するかを設定することが可能である。
【００９２】
従来は、騒音環境下にある（例えば車載された）オーディオ装置の場合、再生中の音楽が騒音によってマスクされてしまい、ユーザはその騒音が掻き消される程度に音量を上げなければ音楽を聴取できないことがあった。しかし本実施例２によれば、ロードノイズ等に対応した音量及び周波数補正（例えばユーザが聴感し得るロードノイズが打ち消されるように音楽の低域を強調するような補正）が行われるため、ロードノイズ等の影響が良好に軽減される。この結果、ユーザは適切な音量・音質で音楽を快適に聴取することができるようになる。
【００９３】
以上が本発明の実施の形態である。本発明はこれらの実施の形態に限定されるものではなく様々な範囲で変形が可能である。例えば本実施形態では１チャンネルのオーディオ信号を処理しているが、別の実施形態ではマルチチャンネルのオーディオ信号を処理することもできる。この場合、音量制御部１０及び音質制御部３０（又は音量・音質制御部１３０）をチャンネル数分用意して、それぞれにおいて各チャンネルを独立して処理するようにすれば良い。
【図面の簡単な説明】
【００９４】
【図１】本発明の実施例１のオーディオ装置の構成を示したブロック図である。
【図２】本発明の実施例１の音量制御部の構成を示したブロック図である。
【図３】Ａ特性を示した図である。
【図４】本発明の実施例１の音量制御部の各構成要素の出力を示した図である。
【図５】本発明の実施例１の音量制御部が有するルックアップテーブル部の入出力特性を示した図である。
【図６】本発明の実施例１の音質制御部の構成を示したブロック図である。
【図７】本発明の実施例１の音質制御部が有するルックアップテーブル部の入出力特性を示した図である。
【図８】本発明の実施例１の音質制御部が有するバスフィルタ部及びトレブルフィルタ部のフィルタ特性を示した図である。
【図９】本発明の実施例１の音質制御部の処理によりオーディオ信号に掛けられる各音量レベルに対する周波数特性を示した図である。
【図１０】本発明の実施例２のオーディオ装置の構成を示したブロック図である。
【図１１】本発明の実施例２の音量・音質制御部の構成を示したブロック図である。
【図１２】本発明の実施例２のスピードパルス検出部の構成を示したブロック図である。
【図１３】本発明の実施例２のスピードパルス検出部の動作を説明するための図、走行速度とスピードパルス、及び、走行速度とパルスレベルとのグラフを示す。
【図１４】本発明の実施例２のノイズ検出部の構成を示したブロック図である。
【図１５】本発明の実施例２の適応フィルタ部での入出力信号をグラフ、及び、適応フィルタ部のフィルタ係数を示す。
【図１６】本発明の実施例２のレベル変換部の構成を示したブロック図である。
【図１７】本発明の実施例２のパルス・ノイズ変換部の構成を示したブロック図である。
【図１８】サブボリューム信号、バスゲイン信号、及び、トレブルゲイン信号の特性を複数パターン示した図である。
【符号の説明】
【００９５】
１、１０１  オーディオ装置
１０  音量制御部
２０  音量設定部
３０、１３０  音質制御部
１５０  スピードパルス検出部
１７０  ノイズ検出部
１８０  レベル変換部
【図１】
2007220266.tif 000003
【図２】
2007220266.tif 000004
【図３】
2007220266.tif 000005
【図４】
2007220266.tif 000006
【図５】
2007220266.tif 000007
【図６】
2007220266.tif 000008
【図７】
2007220266.tif 000009
【図８】
2007220266.tif 000010
【図９】
2007220266.tif 000011
【図１０】
2007220266.tif 000012
【図１１】
2007220266.tif 000013
【図１２】
2007220266.tif 000014
【図１３】
2007220266.tif 000015
【図１４】
2007220266.tif 000016
【図１５】
2007220266.tif 000017
【図１６】
2007220266.tif 000018
【図１７】
2007220266.tif 000019
【図１８】
2007220266.tif 000020